(57)【要約】      （修正有）【課題】美感を向上できるスタンド型電気器具用支持パイプを提供する。【解決手段】設置面上に配される支持部と電源コードを介して給電される給電部との間に配して給電部を支持するとともに電源コードが挿通される管状のスタンド型電気器具用支持パイプ３において、可撓性の第１パイプ３１と、第１パイプ３１の端部に配される非可撓性の第２パイプ３２とを有し、第１パイプ３１及び第２パイプ３２の外面を樹脂またはゴムにより被覆して同径に形成した。【選択図】図４
2013037832.tif 000002
【特許請求の範囲】
【請求項１】
設置面上に配される支持部と電源コードを介して給電される給電部との間に配して前記給電部を支持するとともに前記電源コードが挿通される管状のスタンド型電気器具用支持パイプにおいて、可撓性の第１パイプと、第１パイプの端部に配される非可撓性の第２パイプとを有し、第１パイプ及び第２パイプの外面を樹脂またはゴムにより被覆して同径に形成したことを特徴とするスタンド型電気器具用支持パイプ。
【請求項２】
第１パイプが蛇腹状に形成されることを特徴とする請求項１に記載のスタンド型電気器具用支持パイプ。
【請求項３】
第１パイプに第２パイプを外嵌したことを特徴とする請求項１または請求項２に記載のスタンド型電気器具用支持パイプ。
【請求項４】
請求項１〜請求項３のいずれかに記載のスタンド型電気器具用支持パイプを備えたことを特徴とするスタンド型電気器具。
【請求項５】
前記給電部がイオンを発生するイオン発生装置を備えることを特徴とする請求項４に記載のスタンド型電気器具。
【請求項６】
前記給電部が照明光を出射する光源を備えることを特徴とする請求項４または請求項５に記載のスタンド型電気器具。
【発明の詳細な説明】
【技術分野】
【０００１】
本発明は、設置面上に配される支持部上に立設されるスタンド型電気器具用支持パイプに挿通される電源コードを介して給電される給電部を備えたスタンド型電気器具に関する。また本発明は、設置面上に配される支持部と電源コードを介して給電される給電部との間に配されるスタンド型電気器具用支持パイプに関する。
【背景技術】
【０００２】
従来のスタンド型電気器具は特許文献１に開示されている。このスタンド型電気器具は照明装置を構成し、卓上等の設置面上に設置されるクリップから成る支持部に支持パイプが立設される。支持パイプの先端には光源を有した照明部が配される。照明部は支持パイプ内に挿通される電源コードを介して給電される給電部を構成し、支持パイプによって支持される。
【０００３】
支持パイプは蛇腹状の可撓性パイプを有し、可撓性パイプの支持部側の一端には非可撓性の円管が設けられる。支持パイプの可撓性パイプを屈曲することにより、照明部を所望位置に配置して照明することができる。
【先行技術文献】
【特許文献】
【０００４】
【特許文献１】特開２００４−８７２０４号公報（第３頁−第７頁、第１図）
【発明の概要】
【発明が解決しようとする課題】
【０００５】
しかしながら、上記従来のスタンド型電気器具によると、支持パイプが可撓性パイプの一端に非可撓性の円管が設けられるため、支持パイプの底部で可撓性パイプと円管との間に段差部が生じる。このため、スタンド型電気器具の美感が損なわれる問題があった。また、該段差部や蛇腹状の可撓性パイプの谷部に埃が堆積し易く、スタンド型電気器具の美感が損なわれる問題もあった。
【０００６】
本発明は、美感を向上できるスタンド型電気器具用支持パイプ及びそれを用いたスタンド型電気器具を提供することを目的とする。
【課題を解決するための手段】
【０００７】
上記目的を達成するために本発明は、設置面上に配される支持部と電源コードを介して給電される給電部との間に配して前記給電部を支持するとともに前記電源コードが挿通される管状のスタンド型電気器具用支持パイプにおいて、可撓性の第１パイプと、第１パイプの端部に配される非可撓性の第２パイプとを有し、第１パイプ及び第２パイプの外面を樹脂またはゴムにより被覆して同径に形成したことを特徴としている。
【０００８】
この構成によると、可撓性の第１パイプと非可撓性の第２パイプとが軸方向に連続して配され、第１パイプを屈曲して給電部が所望位置に配置される。第１パイプと第２パイプとは樹脂またはゴムによって同径に被覆され、第１パイプと第２パイプとの間に段差部が形成されない。これにより、スタンド型電気器具用支持パイプ上に堆積する埃を低減することができる。
【０００９】
また本発明は、上記構成のスタンド型電気器具用支持パイプにおいて、第１パイプが蛇腹状に形成されることを特徴としている。この構成によると、蛇腹状の第１パイプの表面が樹脂またはゴムによって被覆され、蛇腹状の第１パイプの谷部への埃の付着が防止される。
【００１０】
また本発明は、上記構成のスタンド型電気器具用支持パイプにおいて、第１パイプに第２パイプを外嵌したことを特徴としている。この構成によると、第１パイプに第２パイプを外嵌して一体化し、表面に樹脂またはゴムが成形等によって被覆される。
【００１１】
また本発明のスタンド型電気器具は、上記各構成のスタンド型電気器具用支持パイプを備えたことを特徴としている。この構成によると、支持部が卓上等に設置され、支持部上にスタンド型電気器具用支持パイプを立設して給電部が支持される。給電部はスタンド型電気器具用支持パイプ内に挿通される電源コードを介して給電され、第１パイプを屈曲して所望位置に配置される。
【００１２】
また本発明は、上記構成のスタンド型電気器具において、前記給電部がイオンを発生するイオン発生装置を備えることを特徴としている。
【００１３】
また本発明は、上記構成のスタンド型電気器具において、前記給電部が照明光を出射する光源を備えることを特徴としている。
【発明の効果】
【００１４】
本発明によると、スタンド型電気器具用支持パイプが可撓性の第１パイプと、第１パイプの端部に配される非可撓性の第２パイプとを有し、第１パイプ及び第２パイプの外面を樹脂またはゴムにより被覆して同径に形成したので、第１パイプと第２パイプとの間の段差部が被覆される。従って、スタンド型電気器具用支持パイプ及びスタンド型電気器具の美感を向上するとともに、段差部への埃の堆積を防止することができる。
【図面の簡単な説明】
【００１５】
【図１】本発明の実施形態のスタンド型電気器具を示す側面図
【図２】本発明の実施形態のスタンド型電気器具の給電部を示す正面図
【図３】本発明の実施形態のスタンド型電気器具の給電部を示す側面断面図
【図４】本発明の実施形態のスタンド型電気器具の支持パイプを示す断面図
【発明を実施するための形態】
【００１６】
以下に本発明の実施形態を図面を参照して説明する。図１は一実施形態のスタンド型電気器具を示す側面図である。スタンド型電気器具１は支持部４、支持パイプ３及び給電部２を備えている。
【００１７】
給電部２は吸込口５と吹出口６とが設けられた筐体２ａを有している。筐体２ａ内の吸込口５側にはイオン発生装置７が配置され、吹出口６側には送風ファン８が配置されている。また、後述するように、吹出口６を有する吹出面２ｂには光源９（図２参照）が配置されている。筐体２ａ内の送風ファン８が設けられた箇所の支持パイプ３側にはイオン発生装置７、送風ファン８及び光源９を駆動するための回路基板１０が設けられている。
【００１８】
回路基板１０には電源コード１１が導出され、電源コード１１の一端にはＡＣアダプター１２及び電源プラグ１３が設けられている。電源プラグ１３、ＡＣアダプター１２及び電源コード１１を介して商用交流電源から電力の供給を受け、給電部２に配したイオン発生装置７、送風ファン８及び光源９に給電される。
【００１９】
支持パイプ３は詳細を後述するように中空の可撓性の部材であり、その一端に設けた給電部２を支持する。支持パイプ３の内部は給電部２の筐体２ａの内部に連通し、回路基板１０から延びる電源コード１１が挿通される。尚、電源コード１１は支持パイプ３の他端側に設けた接続部２１で外部に露出し、その先端にＡＣアダプター１２及び電源プラグ１３が設けられている。接続部２１は支持部４の上面に嵌合する。
【００２０】
支持部４は支持パイプ３の給電部２が設けられた一端とは反対側の端部に設けられている。支持部４は例えばスタンド型電気器具１を机上に置くなどする際に給電部２及び支持パイプ３を起立状態にして支持する。
【００２１】
図２、図３は給電部２の正面図及び垂直断面側面図を示している。尚、図３に描画した白抜き矢印は空気の流通方向を示し、実線矢印はイオンの放出方向を示している。吸込口５は給電部２の背面側に設けられるとともに、吹出口６は給電部２の正面側に設けられる。吸込口５及び吹出口６は各々筐体２ａの内部と外部とを連通させる複数の小孔を備えている。筐体２ａ内には吸込口５と吹出口６とを連結する円筒形状の空気通路１４が形成されている。空気通路１４の吸込口５のすぐ内側には塵埃を捕集するためのエアフィルター１５が配置されている。
【００２２】
送風ファン８は軸流ファンで構成され、空気通路１４内に設けられている。送風ファン８はそのハウジングの軸線方向に開口する吸気口（不図示）が吸込口５に対向して配置され、吸気口に対して軸線方向の反対側で開口する排気口（不図示）が吹出口６に対向して配置されている。これにより、送風ファン８を駆動させると、図３に白抜き矢印で示したように、スタンド型電気器具１は吸込口５から吸い込んだ外部の空気を空気通路１４内に流通させて吹出口６から給電部２の正面側に向かって吹き出す。
【００２３】
イオン発生装置７は空気通路１４に隣接させて送風ファン８に対して空気流通方向上流側に配置されている。イオン発生装置７はイオンを放出するための放電に用いる電極やその他電子部品がハウジング内に収容されてパッケージ化されている。そして、イオン発生装置７は空気通路１４に隣接させて形成された収納部（不図示）に対して着脱可能にして収納される。イオン発生装置７は空気通路１４に臨む複数の電極を有し、図３に実線矢印で示したように、空気通路１４内を流通する空気に対して電極で放電により発生させたイオンを含ませるように放出する。
【００２４】
イオン発生装置７の電極には交流波形またはインパルス波形から成る電圧が印加される。電極の印加電圧が正電圧の場合はイオンが空気中の水分と結合して主としてＨ＋（Ｈ２Ｏ）ｍから成るプラスイオンを発生する。電極の印加電圧が負電圧の場合はイオンが空気中の水分と結合して主としてＯ２−（Ｈ２Ｏ）ｎから成るマイナスイオンを発生する。ここで、ｍ、ｎは任意の自然数である。Ｈ＋（Ｈ２Ｏ）ｍ及びＯ２−（Ｈ２Ｏ）ｎは空気中の浮遊菌や臭い成分の表面で凝集してこれらを取り囲む。
【００２５】
そして、式（１）〜（３）に示すように、衝突により活性種である［・ＯＨ］（水酸基ラジカル）やＨ２Ｏ２（過酸化水素）を微生物等の表面上で凝集生成して浮遊菌や臭い成分を破壊する。ここで、ｍ’、ｎ’は任意の自然数である。従って、プラスイオン及びマイナスイオンを発生して吹出口６から吐出することにより使用者の近傍の殺菌及び臭い除去を行うことができる。
【００２６】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００２７】
尚、本実施形態ではイオン発生装置７によってプラスイオン及びマイナスイオンを発生しているが、マイナスイオンのみを発生してもよい。
【００２８】
また、本発明において、イオンには帯電微粒子水も含むものとする。この時、イオン発生装置７は静電霧化装置から成り、静電霧化装置によってラジカル成分を含む帯電微粒子水が生成される。即ち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出されるマイナスイオンも発生する。
【００２９】
回路基板１０はスタンド型電気器具１の制御回路を実装している。給電部２の正面側の回路基板１０表面には光源９と操作部１６とが設けられている。光源９と操作部１６とはともに給電部２の吹出面２ｂに配置されている。給電部２の背面側の回路基板１０表面には表示部１７が設けられている。
【００３０】
光源９は図２に示すように例えば３個のＬＥＤ９ａを備え、吹出口６に近接させて吹出面２ｂに設けられている。そして、光源９は吹出口６からの空気吹出方向と同一方向に光を照射する。
【００３１】
操作部１６は図２に示すように例えばスライドスイッチ１６ａを備え、吹出面２ｂの光源９に対して支持パイプ３側に設けられている。操作部１６においてスライドスイッチ１６ａをスライド操作することで「切」による電源オフ状態、「イオン」によるイオン放出動作状態、「イオン＋照明」によるイオン放出と照明オンの動作状態のいずれかを選択することができる。
【００３２】
表示部１７は図３に示すように例えば３個のＬＥＤ１７ａを備え、給電部２の背面側であって光源９や操作部１６の配置箇所の反対側に設けられている。３個のＬＥＤ１７ａは各々点灯することで送風ファン８、イオン発生装置７及び光源９それぞれの動作状態、すなわち電源ＯＮの状態を表示している。
【００３３】
また、回路基板１０には例えばボタン型電池で構成される電池１８が設けられている。この電池１８には光源９が電気的に接続されている。すなわち、操作部１６や図示しない制御回路などを介して、送風ファン８及びイオン発生装置７は電源プラグ１３のみに電気的に接続され、光源９は電源プラグ１３及び電池１８に電気的に接続されている。これにより、スタンド型電気器具１は停電時に光源９による照明を行うことができる。
【００３４】
図４は支持パイプ３の縦断面図を示している。支持パイプ３は第１パイプ３１、第２パイプ３２及び被覆部３３により形成される。第１パイプ３１は金属等により蛇腹状に形成され、可撓性を有している。第２パイプ３２は第１パイプ３１の両端部に外嵌され、非可撓性の金属等の円管により形成される。第２パイプ３２の端部には縮径した嵌合部３２ａが設けられる。嵌合部３２ａが給電部２及び支持部４の接続部２１（図１参照）に設けた孔部（不図示）に嵌合して支持パイプ３が給電部２及び支持部４に連結される。
【００３５】
被覆部３３は樹脂またはゴムにより形成され、第１パイプ３１及び第２パイプ３２の外面を覆う。即ち、被覆部３３は第２パイプ３２を外嵌した第１パイプ３１を中子として樹脂成形等により形成される。この時、第１パイプ３１及び第２パイプ３２の外面が被覆部３３によって同径に形成される。
【００３６】
このため、被覆部３３によって蛇腹状の第１パイプ３１の谷部３１ａが覆われるとともに、第１パイプ３１と第２パイプ３２との間に形成される段差部３ａが覆われる。従って、従来例のような段差部３ａや谷部３１ａへの埃の堆積を防止することができる。
【００３７】
支持パイプ３は両端に配した第２パイプ３２部分では屈曲することができず、中央部の第１パイプ３１上に被覆部３３を形成した屈曲部３ｂで屈曲させることや捻ることができる。このため、支持パイプ３が屈曲によって全体に渡って蛇行することを防止することができる。従って、スタンド型電気器具１の給電部２の自重による転倒を防止することができる。
【００３８】
この時、支持パイプ３の露出部分の長さＬ１に対して屈曲部３ｂの長さＬ２を１／３以下にするとよい。これにより、蛇行が生じる屈曲部３ｂを短く形成し、支持パイプ３の美感を向上することができる。
【００３９】
尚、第２パイプ３２を第１パイプ３１の端面から軸方向に連結し、第１、第２パイプ３１、３２を被覆部３３で被覆して支持パイプ３を形成してもよい。
【００４０】
上記構成のスタンド型電気器具１において、支持パイプ３を屈曲して使用者の顔の近傍等の所望位置に給電部２が配置される。操作部１６のスライドスイッチ１６ａが「切」から「イオン」に切り替えられると、送風ファン８及びイオン発生装置７が駆動される。これにより、使用者の顔の近傍等にイオンが送出され、使用者の付近の除菌及び脱臭を行うことができる。
【００４１】
また、スライドスイッチ１６ａが「イオン＋照明」に切り替えられると、光源９、送風ファン８及びイオン発生装置７が駆動される。これにより、使用者の付近の除菌及び脱臭を行うとともに使用者近傍の照明を行うことができる。
【００４２】
本実施形態によると、支持パイプ３が可撓性の第１パイプ３１と、第１パイプ３１の端部に配される非可撓性の第２パイプ３２とを有し、第１パイプ３１及び第２パイプ３２の外面を樹脂またはゴムにから成る被覆部３３により被覆して同径に形成したので、第１パイプ３１と第２パイプ３２との間の段差部３ａが被覆され、支持パイプ３が一体化された外観に形成される。従って、支持パイプ３及びスタンド型電気器具１の美感を向上するとともに、段差部３ａへの埃の堆積を防止することができる。また、支持パイプ３上に付着した埃を容易に清掃することができる。
【００４３】
また、第１パイプ３１が蛇腹状に形成されるので、蛇腹の谷部３１ａへの埃の堆積を防止することができる。
【００４４】
また、第１パイプ３１に第２パイプ３２を外嵌したので、第１パイプ３１及び第２パイプ３２を中子として被覆部３３を成形する際に中子がずれることなく容易に支持される。従って、被覆部３３を成形によって容易に形成することができる。
【００４５】
本実施形態において、支持部４を机の天板やベッドフレーム等にクランプするように形成してもよい。また、イオン発生装置７を省き、送風ファン８の駆動により使用者の顔等に送風してもよい。また、イオン発生装置７及び送風ファン８を省き、スタンド型電気器具１を照明スタンドとして用いてもよい。
【産業上の利用可能性】
【００４６】
本発明は、送風ファン、イオン発生装置、光源等を備えたスタンド型電気器具に利用することができる。
【符号の説明】
【００４７】
１    スタンド型電気器具
２    給電部
２ａ  筐体
２ｂ  吹出面
３    支持パイプ
３ａ  段差部
３ｂ  屈曲部
４    支持部
５    吸込口
６    吹出口
７    イオン発生装置
８    送風ファン
９    光源
１１    電源コード
１３    電源プラグ
１４    空気通路
１６    操作部
１７    表示部
１８    電池
３１    第１パイプ
３２    第２パイプ
３３    被覆部
【図１】
2013037832.tif 000003
【図２】
2013037832.tif 000004
【図３】
2013037832.tif 000005
【図４】
2013037832.tif 000006